(57)【要約】【課題】キャリアテープからの取出し位置において磁力を有する電子素子の姿勢を安定化させることのできる電子素子供給装置を得る。【解決手段】磁力を有する電子素子３０をキャリアテープ５０に所定のピッチで形成した収納凹部５１に収納し、かつ、カバーテープ５２を貼着した状態で、キャリアテープ５０を搬送部６０上で一方向に搬送し、位置Ａでカバーテープ５２を引き剥がして凹部５１を開放し、開放された凹部５１から素子３０を吸引ノズル６２にて取り出す電子素子供給装置。搬送部６０のキャリアテープ５０と対向する部分には磁性体部材６５が設置されており、磁性体部材６５と素子３０との間に生じる磁気回路（磁束）によって素子３０の姿勢の安定化を図る。【選択図】図６
2011082437.tif 000002
【特許請求の範囲】
【請求項１】
磁力を有する部品を含む電子素子をキャリアテープに所定のピッチで形成した収納凹部に収納し、かつ、該キャリアテープの上面にカバーテープを貼着した状態で、該キャリアテープを搬送部上で一方向に搬送し、搬送中の所定位置で前記カバーテープを順次引き剥がして収納凹部を開放し、開放された収納凹部から電子素子を取り出す電子素子供給装置において、
前記搬送部の前記キャリアテープの裏面と対向する部分であって、少なくとも前記カバーテープを引き剥がす位置から電子素子の取出し位置にわたって、磁性体部材が設置されていること、
を特徴とする電子素子供給装置。
【請求項２】
前記磁性体部材は、前記カバーテープを引き剥がす位置から前記取出し位置を超えて取出し不良品を回収する位置にわたって設置されていること、を特徴とする請求項１に記載の電子素子供給装置。
【請求項３】
前記磁性体部材は強磁性材からなることを特徴とする請求項１又は請求項２に記載の電子素子供給装置。
【請求項４】
前記カバーテープを引き剥がすためのシャッタ部材が設置されており、該シャッタ部材は非磁性材からなること、を特徴とする請求項１、請求項２又は請求項３に記載の電子素子供給装置。
【発明の詳細な説明】
【技術分野】
【０００１】
本発明は、電子素子供給装置、特に、アイソレータやサーキュレータを構成するフェライト・磁石素子などの電子素子を、組立て工程に供するために、キャリアテープに梱包した状態で搬送して取り出す電子素子供給装置に関する。
【背景技術】
【０００２】
従来より、組立て工程に供するため、複数の電子素子をキャリアテープの凹部にそれぞれ格納してカバーテープで封止した状態でリールに巻き取っておき、これらのテープを巻き戻しつつ自動マウント機で電子素子を１個ずつ取り出すようにした供給装置が用いられている。
【０００３】
この種の供給装置では、取出しのためにカバーテープを剥離すると、収納されている電子素子が立ち上がったり、移動し、電子素子の姿勢が安定しないことがある。そこで、特許文献１，２，３には、キャリアテープからの素子供給部に永久磁石を配設し、該永久磁石の磁力によって格納されている電子素子を下方に引っ張り、電子素子の姿勢を安定させることが提案されている。
【０００４】
ところで、電子素子にあって、アイソレータやサーキュレータなどを構成するフェライト・磁石素子のように、永久磁石などの磁力を有する部品を含むものがある。このように磁力を有する電子素子を供給部に配設した前記永久磁石で吸着保持しようとすると、両者の磁極の位置関係によっては反発し合って電子素子が立ち上がったり、飛散する不具合が発生する。また、カバーテープを引き剥がすためのシャッタ部材が磁性材からなる場合、自らが磁力を有する電子素子がシャッタ部材に引かれて凹部から飛び出し、シャッタ部材に吸着されてしまうという不具合も発生する。
【先行技術文献】
【特許文献】
【０００５】
【特許文献１】特開平１１−３０７９９２号公報
【特許文献２】特開２０００−２２８６００号公報
【特許文献３】特開２００６−１８６０７８号公報
【発明の概要】
【発明が解決しようとする課題】
【０００６】
そこで、本発明の目的は、キャリアテープからの取出し位置において磁力を有する電子素子の姿勢を安定化させることのできる電子素子供給装置を提供することにある。
【課題を解決するための手段】
【０００７】
本発明の一形態である電子素子供給装置は、
磁力を有する部品を含む電子素子をキャリアテープに所定のピッチで形成した収納凹部に収納し、かつ、該キャリアテープの上面にカバーテープを貼着した状態で、該キャリアテープを搬送部上で一方向に搬送し、搬送中の所定位置で前記カバーテープを順次引き剥がして収納凹部を開放し、開放された収納凹部から電子素子を取り出す電子素子供給装置において、
前記搬送部の前記キャリアテープの裏面と対向する部分であって、少なくとも前記カバーテープを引き剥がす位置から電子素子の取出し位置にわたって、磁性体部材が設置されていること、
を特徴とする。
【０００８】
前記電子素子供給装置では、カバーテープが引き剥がされた取出し位置において、キャリアテープの裏面と対向する部分に設置した磁性体部材と、電子素子の持っている磁力との間に磁気回路（磁束）が形成され両者が磁気的に引き合う。磁性体部材は磁極を有していないので、磁極を有する電子素子と干渉し合うことはなく、取出し位置において電子素子の姿勢が安定化する。
【発明の効果】
【０００９】
本発明によれば、キャリアテープの凹部に収納された磁力を有する電子素子を、カバーテープが剥離された取出し位置においてその姿勢を安定化させることができ、ひいては取出し不良の発生を極力抑えることができる。
【図面の簡単な説明】
【００１０】
【図１】本発明に係る電子素子供給装置のキャリアテープに収納される電子素子の一例（フェライト・磁石素子）を示す斜視図である。
【図２】前記フェライト・磁石素子を備えたアイソレータを示す斜視図である。
【図３】前記フェライト・磁石素子を備えた複合電子部品の第１例を示す斜視図である。
【図４】前記フェライト・磁石素子を備えた複合電子部品の第２例を示す斜視図である。
【図５】本発明に係る電子素子供給装置の概略構成図である。
【図６】前記電子素子供給装置における取出し動作を説明する断面図である。
【図７】カバーテープを剥離するシャッタ部材が磁性材である場合に形成される磁気回路を示す説明図である。
【図８】カバーテープを剥離するシャッタ部材が非磁性材である場合に形成される磁気回路を示す説明図である。
【発明を実施するための形態】
【００１１】
以下、本発明に係る電子素子供給装置の実施例について添付図面を参照して説明する。
【００１２】
（被収納電子素子の説明、図１〜図４参照）
まず、本発明に係るキャリアテープに収納される電子素子の一例として、フェライト・磁石素子３０について図１を参照して説明する。このフェライト・磁石素子３０は、直方体形状のフェライト３２とその両主面に接着層４２を介して接着した一対の永久磁石４１とから構成されている。フェライト３２の両主面には図示しない第１及び第２の中心電極が互いに電気的に絶縁状態で交差して巻回配置されている。一対の永久磁石４１はフェライト３２に直流磁界を印加し、第１及び第２の中心電極を磁気的に結合させる。
【００１３】
図２は前記フェライト・磁石素子３０を含む集中定数型の２ポート型アイソレータ１を示し、整合回路を構成するチップタイプのコンデンサＣ１，Ｃ２，ＣＳ１，ＣＳ２やチップタイプの終端抵抗Ｒを備え、これらの素子が多層構造の回路基板２０上に形成した各種電極に半田付けにて実装されている。
【００１４】
なお、この種のアイソレータ１やフェライト・磁石素子３０の構成、作用については、例えば、国際公開ＷＯ２００８／０８７７８８号公報に詳述されている。
【００１５】
図３に前記フェライト・磁石素子３０を備えた複合電子部品の第１例を示す。この複合電子部品３は、前記アイソレータ１とパワーアンプ８１とをプリント配線回路基板８２の表面に実装してモジュール化したものである。パワーアンプ８１の周囲にも必要とされるチップタイプの回路素子８３ａ〜８３ｆが実装されている。
【００１６】
図４に前記フェライト・磁石素子３０を備えた複合電子部品の第２例を示す。この複合電子部品４は、アイソレータ１Ａ，１Ｂをプリント配線回路基板９１の表面に実装してモジュール化したものである。アイソレータ１Ａ，１Ｂは前記アイソレータ１と同じ構成であるが、異なった周波数帯に使用される。
【００１７】
（電子素子供給装置、図５〜図８参照）
次に、本発明に係る電子素子供給装置について説明する。この電子素子供給装置は、図５にその概略構成を示すように、予めフェライト・磁石素子３０を収納したキャリアテープ５０を巻き取ったリール５５からキャリアテープ５０を左方に引き出し、搬送部６０上を搬送し、Ａ位置でカバーテープ５２を引き剥がし、Ｂ位置で素子３０を取り出し、Ｃ位置で取出し不良品を回収し、その後、キャリアテープ５０をリール５６に巻き取る。
【００１８】
剥離位置Ａにはシャッタ部材６１が左右方向に移動可能に配置されている。取出し位置Ｂには吸引ノズル６２が上下方向に移動可能に配置されている。また、回収位置Ｃには回収装置６３が配置されている。
【００１９】
図６に詳細を示す。キャリアテープ５０は、樹脂材からなり、収納凹部５１をエンボス加工によって所定のピッチで形成したもので、該凹部５１にフェライト・磁石素子３０が予め収納されている。素子３０はキャリアテープ５０の表面に貼着したカバーテープ５２によって封止されている。
【００２０】
カバーテープ５２はシャッタ部材６１のスリット６１ａに挿入して搬送方向とは逆方向に引き出されており、図６（Ａ）から（Ｂ）に示すようにシャッタ部材６１が右方に移動することにより、キャリアテープ５０（凹部５１）から引き剥がされる。剥離されたカバーテープ５２はリール５７に巻き取られていく。
【００２１】
吸引ノズル６２は取出し位置Ｂの直上で待機しており、シャッタ部材６１によって凹部５１が開放されると、図６（Ｂ）に示すように下降して素子３０を吸引保持し、素子３０を所定の組立て位置へと搬送する。素子３０を取り出した後、キャリアテープ５０及びシャッタ部材６１が１ピッチ左方へ移動する。また、吸引ノズル６２による取出し不良（吸着ミス）が発生した場合、そのような素子３０は凹部５１に姿勢が崩れて入れられた状態で左方に搬送され、図５に示す回収装置６３にて回収される。なお、吸引ノズル６２や回収装置６３は周知の構成であり、詳細な説明は省略する。
【００２２】
さらに、本電子素子供給装置では、搬送部６０のキャリアテープ５０の裏面と対向する部分に磁性体部材６５が配置されている。この磁性体部材６５は強磁性部材であることが好ましい。例えば、鉄、コバルト、ニッケル、ＳＵＳ４３０などのフェライト系ステンレス、ＳＵＳ４２０などのマルテンサイト系のステンレスである。
【００２３】
電子素子供給装置では、シャッタ部材６１の往復移動や吸引ノズル６２の素子３０への当接などでキャリアテープ５０が振動し、凹部５１内での素子３０の姿勢が安定しない。しかし、キャリアテープ５０の裏面側に磁性体部材６５が配置されているため、磁性体部材６５と素子３０の永久磁石４１の持っている磁力との間に磁気回路が形成され両者が磁気的に引き合う。磁性体部材６５は磁極を有していないので、磁極を有する永久磁石４１と干渉し合うことはなく、フェライト・磁石素子３０の姿勢が安定化する。
【００２４】
磁性体部材６５と素子３０とが引き合う磁力は、両者の距離の２乗に反比例し、実験によれば、磁性体部材６５の厚みが０．０４〜０．５ｍｍでは磁力の差は見られず、姿勢を安定化するのに必要な磁力が得られた。このように、磁性体部材６５は薄いものであるため、既設の搬送部６０上に容易に設置することができる。ちなみに、磁性体部材６５をＳＵＳ４３０とし、磁性体部材６５と素子３０との間隔を３００μｍ程度とした場合に、両者の間に発生する磁力は１ｍＮ程度であり、素子３０が凹部５１から飛び出したりすることはなく、その姿勢が安定化した。
【００２５】
前記磁性体部材６５は、図５に示すように、少なくとも剥離位置Ａから取出し位置Ｂにわたる領域Ｘ１に設置されていればよい。また、剥離位置Ａ以降の搬送状態では凹部５１は開放されているので、取出し不良品が凹部５１から飛び出さないように、磁性体部材６５は回収位置Ｃまでの領域Ｘ２に設置されていることが好ましい。磁性体部材６５は、本実施例では剥離位置Ａの前段部分にも余裕をもった領域Ｘ３に設置されている。
【００２６】
図７及び図８に、磁性体部材６５とフェライト・磁石素子３０との間に形成される磁気回路（磁束）の様子を示す。この磁気回路は、キャリアテープ５０の直上に位置するシャッタ部材６１の材質によって変化する。即ち、シャッタ部材６１は、通常、ステンレスなどの磁性材にて形成されている。この場合、図７に示すように、磁性体部材６５との間で形成される磁束φ１に加えて、シャッタ部材６１との間にも磁束φ２が形成される。但し、磁束φ２は磁束φ１に比べて小さく、素子３０の姿勢の安定化に支障を生じることはない。
【００２７】
一方、シャッタ部材６１を非磁性材にて形成すれば、図８に示すように、図７に示した磁束φ２は拡散して消滅し、磁性体部材６５との間に形成される磁束φ１が大きくなり、素子３０の安定性が向上する。非磁性材としては、例えば、アルミニウム、真鍮、銅、リン青銅などの金属材料や、耐摩耗性と強度を有する樹脂などの非金属材料を幅広く用いることができる。
【００２８】
（他の実施例）
なお、本発明に係る電子素子供給装置は前記実施例に限定するものではなく、その要旨の範囲内で種々に変更できることは勿論である。
【００２９】
特に、本発明における被収納物は、中間製品であるフェライト・磁石素子に限定されることはなく、アイソレータなどの完成製品であってもよい。また、搬送部などの構成は任意である。
【産業上の利用可能性】
【００３０】
以上のように、本発明は、キャリアテープを用いた電子素子供給装置に有用であり、特に、キャリアテープからの取出し位置において磁力を有する電子素子の姿勢を安定化できる点で優れている。
【符号の説明】
【００３１】
３０…フェライト・磁石素子
３２…フェライト
４１…永久磁石
５０…キャリアテープ
５１…収納凹部
５２…カバーテープ
６０…搬送部
６１…シャッタ部材
６５…磁性体部材
Ａ…剥離位置
Ｂ…取出し位置
Ｃ…回収位置
【図１】
2011082437.tif 000003
【図２】
2011082437.tif 000004
【図３】
2011082437.tif 000005
【図４】
2011082437.tif 000006
【図５】
2011082437.tif 000007
【図６】
2011082437.tif 000008
【図７】
2011082437.tif 000009
【図８】
2011082437.tif 000010